(57)【要約】【課題】複数の操作端末器でスイッチが同時に操作された場合においても正常に負荷を制御することができる遠隔監視制御システムを提供する。【解決手段】同一のチャンネル（例えば、０チャンネル）が設定されている複数の操作端末器２Ａ，２Ｂで互いに異なる負荷番号（例えば、１と４）が設定されているスイッチＳ１，Ｓ４が同時に操作されて伝送エラーが生じた場合、伝送制御装置１の制御部１０が、当該チャンネルに負荷番号を付加したアドレス宛に、当該負荷番号を切り換えながら監視データの送信要求を再送する。操作端末器２Ａ，２Ｂの制御部２０Ａ，２０Ｂは、伝送信号に含まれるアドレスのチャンネルが記憶部２２に記憶しているチャンネルと一致し且つ当該アドレスの負荷番号と操作されたスイッチＳ１，Ｓ４に設定された負荷番号が一致したときに監視データを含む伝送信号を伝送信号送受信部２１より送信させる。【選択図】        図１
2010010784.tif 000002
【特許請求の範囲】
【請求項１】
複数のスイッチを備え各スイッチごとに固有のアドレスが設定される操作端末器と、複数の負荷が接続され各負荷ごとに固有のアドレスが設定される制御端末器と、操作端末器および制御端末器を分岐接続した信号線に接続され何れかのスイッチが操作されたときに操作端末器から受け取る監視データに基づいて何れかの負荷を制御する制御データを生成するとともに操作されたスイッチとの対応関係が設定されている負荷を接続した制御端末器に対して制御データを伝送する伝送制御装置とを備え、伝送制御装置は、スイッチが操作された操作端末器から信号線を介して伝送される割込信号を受け取ったときに当該割込信号の送信元である操作端末器のアドレスを探索し、当該送信元の操作端末器では伝送制御装置によるアドレス探索に応答して自己のアドレスを含む伝送信号を返信する遠隔監視制御システムであって、
前記アドレスは、前記対応関係が設定されているスイッチを備える操作端末器及び負荷が接続される制御端末器に共通に設定されるチャンネルと、操作端末器が備える複数のスイッチ並びに制御端末器に接続される複数の負荷毎に共通に設定される負荷番号とからなり、
操作端末器は、チャンネルと負荷番号からなる前記アドレスを記憶する記憶手段と、信号線を介して伝送制御装置との間で伝送信号を送受信する伝送信号送受信手段と、伝送制御装置によるアドレス探索に応答して記憶手段に記憶している前記アドレスのうちのチャンネルのみを含む伝送信号を伝送信号送受信手段より返信させる制御手段とを具備し、
伝送制御装置は、前記アドレスを記憶する記憶手段と、信号線を介して伝送信号を送受信する伝送信号送受信手段と、前記アドレス探索に応答した操作端末器のチャンネル宛てに監視データの送信を要求する制御手段とを具備し、
伝送制御装置の制御手段は、前記チャンネル宛の監視データ送信要求に対する応答を受け取ることができない場合に当該チャンネルに負荷番号を付加した前記アドレス宛に、当該負荷番号を切り換えながら監視データの送信要求を再送し、
操作端末器の制御手段は、前記伝送信号に含まれるアドレスのチャンネルが記憶手段に記憶しているチャンネルと一致したとき、若しくは前記伝送信号に含まれるアドレスのチャンネルが記憶手段に記憶しているチャンネルと一致し且つ当該アドレスの負荷番号と操作されたスイッチに設定された負荷番号が一致したときに監視データを含む伝送信号を伝送信号送受信手段より送信させることを特徴とする遠隔監視制御システム。
【発明の詳細な説明】
【技術分野】
【０００１】
本発明は、負荷の動作を遠隔から制御及び監視する遠隔監視制御システムに関するものである。
【背景技術】
【０００２】
従来より、負荷制御用として、図４に示すような構成の遠隔監視制御システムが提供されている（例えば、特許文献１参照）。この遠隔監視制御システムでは、伝送制御装置１に接続された２線式の信号線Ｌｓに複数台ずつの操作端末器２および制御端末器３が分岐接続（マルチドロップ接続）されている。各操作端末器２および各制御端末器３には、それぞれ固有のアドレスが設定され、伝送制御装置１はそれらのアドレスを用いて操作端末器２および制御端末器３を個別に認識する。操作端末器２はスイッチＳを備え、制御端末器３には負荷Ｌが接続される。また、操作端末器２には負荷Ｌの動作状態を確認するための表示素子（発光ダイオード）よりなる確認灯２ａ，２ｂが設けられている。負荷Ｌはとくに制限されないが、照明負荷を用いることが多い。
【０００３】
伝送制御装置１は信号線Ｌｓに対して、図５（ａ）に示すフォーマットの伝送信号Ｖｓを送出する。すなわち、信号送出開始を示す同期信号ＳＹ、伝送信号Ｖｓのモードを示すモードデータＭＤ、操作端末器２や制御端末器３を各別に呼び出すためのアドレスデータＡＤ、負荷Ｌを制御する制御データＣＤ、伝送誤りを検出するためのチェックサムデータＣＳ、操作端末器２や制御端末器３からの返送信号（監視データ）を受信するタイムスロットである信号返送期間ＷＴよりなる双極性（±２４Ｖ）の時分割多重信号であり、パルス幅変調によってデータが伝送されるようになっている（図５（ｂ））。各操作端末器２および各制御端末器３では、信号線Ｌｓを介して受信した伝送信号Ｖｓにより伝送されたアドレスデータＡＤがあらかじめ設定されているアドレスに一致すると、伝送信号Ｖｓから制御データＣＤを取り込むとともに、伝送信号Ｖｓの信号返送期間ＷＴに監視データを電流モード信号（信号線Ｌｓを適当な低インピーダンスを介して短絡することにより送出される信号）として返送する。
【０００４】
伝送制御装置１から所望の操作端末器２や制御端末器３にデータを伝送する場合には、モードデータＭＤを制御モードとし、操作端末器２または制御端末器３のアドレスをアドレスデータＡＤとする伝送信号Ｖｓを送出し、この伝送信号Ｖｓを信号線Ｌｓに送出すれば、アドレスデータＡＤに一致する操作端末器２または制御端末器３が制御データＣＤを受け取り、信号返送期間ＷＴに監視データを返送する。伝送制御装置１では送出した制御データＣＤと信号返送期間ＷＴに受信した監視データとの関係によって制御データＣＤが所望の操作端末器２または制御端末器３に伝送されたことを確認する。制御端末器３は受け取った制御データＣＤに従って負荷Ｌを制御するための負荷制御信号を出力し、操作端末器２では受け取った制御データＣＤに従って負荷Ｌの動作確認表示を行なうための監視信号を出力する。
【０００５】
一方、伝送制御装置１は常時はモードデータＭＤをダミーモードとした伝送信号Ｖｓを一定時間間隔で送出しており、操作端末器２が伝送制御装置１に対して何らかの情報を伝送しようとするときには、ダミーモードの伝送信号Ｖｓの同期信号ＳＹに同期させて図５（ｃ）のような割込信号を発生させる。このとき、操作端末器２は割込フラグを設定して伝送制御装置１との以後の情報授受に備える。伝送制御装置１では割込信号を受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号を発生した操作端末器２では、割込ポーリングモードの伝送信号のアドレスデータＡＤの上位４ビットが操作端末器２に設定されているアドレスの上位４ビットに一致するときに、信号返送期間ＷＴにアドレスの下位の半数のビットを伝送制御装置１に返送する。このように、伝送制御装置１は割込信号を発生した操作端末器２を１６個ずつまとめて探すので、比較的短い時間で操作端末器２を発見することができる。
【０００６】
伝送制御装置１が割込信号を発生した操作端末器２のアドレスを獲得すると、モードデータＭＤを監視モードとし、獲得したアドレスデータＡＤを持つ伝送信号を信号線Ｌｓに送出するのであって、この伝送信号に対して操作端末器２は伝送しようとする情報を信号返送期間ＷＴに返送するのである。最後に、伝送制御装置１は割込信号を発生した操作端末器２に対して割込リセットを指示する信号を送出し、操作端末器２の割込フラグを解除する。以上のようにして、操作端末器２から伝送制御装置１への情報伝送は、伝送制御装置１から操作端末器２への４回の信号伝送（ダミーモード、割込ポーリングモード、監視モード、割込リセット）によって完了する。伝送制御装置１が所望の制御端末器３の動作状態を知ろうとするときには、モードデータＭＤを監視データとした伝送信号を送出するだけでよい。
【０００７】
上述の動作を簡単にまとめる。まず、操作端末器２に対してスイッチＳによる入力データが発生すると、入力データに対応した監視データを伝送制御装置１に返送し、伝送制御装置１が制御端末器３に制御データＣＤを伝送すると、制御端末器３は負荷制御信号を出力して負荷Ｌを制御する。ここで、制御端末器３には負荷監視入力が与えられ、負荷監視入力に対応する監視データを伝送制御装置１に返送し、返送された監視データを操作端末器２に伝送する。この伝送信号によって操作端末器２では監視信号を出力する。監視出力は通常は確認灯の点灯・消灯に用いられる。また、操作端末器２は最大４回路のスイッチＳを備え、制御端末器３は最大４回路の負荷Ｌが制御可能であって、操作端末器２および制御端末器３には各スイッチＳや負荷Ｌを個別に認識するために２ビットの負荷番号が付加されている。以下では、上述した操作端末器２ないし制御端末器３のアドレスをチャンネルと呼び、チャンネルと負荷番号とをまとめてアドレスと呼ぶことにする。つまり、各スイッチＳや各負荷Ｌに個別のアドレスが設定されていることになる。
【０００８】
ここで、同じ負荷Ｌを多箇所から制御しようとした場合、複数の操作端末器２と当該負荷Ｌを制御する制御端末器３とに同一のアドレスが設定される。例えば、多箇所制御の対象である負荷Ｌを制御する制御端末器３に０−１（チャンネル０の負荷番号１を表す。以下同じ）というアドレスが設定されているとすると、当該負荷Ｌを多箇所制御するための複数の操作端末器２のスイッチＳにも各々０−１のアドレスが設定される。
【特許文献１】特開２００３−９２６０号公報
【発明の開示】
【発明が解決しようとする課題】
【０００９】
ところで、複数の操作端末器２で同時にスイッチＳが操作された場合、これら複数の操作端末器２に各々チャンネルの異なるアドレスが設定されていれば、伝送制御装置１がそれぞれの操作端末器２のアドレスを探索して個々に監視データを受け取ることができる。また、多箇所制御のために同一のアドレスが設定された複数の操作端末器２において同時にスイッチＳが操作された場合、これら複数の操作端末器２から伝送制御装置１へ同時に監視データが伝送されることになる。このとき、それぞれの操作端末器２において同時に操作されたスイッチＳに設定されている負荷番号が同一であれば、伝送制御装置１へ同時に伝送される監視データも全く同一であるため、当該監視データを伝送する伝送信号も同一の信号波形となり、伝送制御装置１では当該伝送信号を正常に受信することができるので、何等支障なく当該スイッチＳと対応する負荷Ｌが正常に制御される。
【００１０】
ところが、同じアドレスが設定されている複数の操作端末器２において、互いに異なる負荷番号が設定されているスイッチＳが同時に操作された場合、例えば、０−１のアドレスが設定されている操作端末器２と、０−３のアドレスが設定されている操作端末器２でそれぞれのアドレスに対応するスイッチＳが同時に操作された場合、これら複数の操作端末器２から伝送制御装置１へ伝送される監視データの内容（負荷番号１と負荷番号３）が異なっているため、それぞれの監視データを伝送する伝送信号の信号波形も異なり、その結果、異なる信号波形の伝送信号が信号線Ｌｓに重複することで伝送エラーが生じてしまう。尚、同一の操作端末器２において複数のスイッチＳが同時に操作されたときは、操作端末器２が先に操作されたスイッチＳを優先して監視データを生成するために上述のような伝送エラーは生じない。
【００１１】
本発明は上記事情に鑑みて為されたものであり、その目的は、複数の操作端末器でスイッチが同時に操作された場合においても正常に負荷を制御することができる遠隔監視制御システムを提供することにある。
【課題を解決するための手段】
【００１２】
本発明は、上記目的を達成するために、複数のスイッチを備え各スイッチごとに固有のアドレスが設定される操作端末器と、複数の負荷が接続され各負荷ごとに固有のアドレスが設定される制御端末器と、操作端末器および制御端末器を分岐接続した信号線に接続され何れかのスイッチが操作されたときに操作端末器から受け取る監視データに基づいて何れかの負荷を制御する制御データを生成するとともに操作されたスイッチとの対応関係が設定されている負荷を接続した制御端末器に対して制御データを伝送する伝送制御装置とを備え、伝送制御装置は、スイッチが操作された操作端末器から信号線を介して伝送される割込信号を受け取ったときに当該割込信号の送信元である操作端末器のアドレスを探索し、当該送信元の操作端末器では伝送制御装置によるアドレス探索に応答して自己のアドレスを含む伝送信号を返信する遠隔監視制御システムであって、前記アドレスは、前記対応関係が設定されているスイッチを備える操作端末器及び負荷が接続される制御端末器に共通に設定されるチャンネルと、操作端末器が備える複数のスイッチ並びに制御端末器に接続される複数の負荷毎に共通に設定される負荷番号とからなり、操作端末器は、チャンネルと負荷番号からなる前記アドレスを記憶する記憶手段と、信号線を介して伝送制御装置との間で伝送信号を送受信する伝送信号送受信手段と、伝送制御装置によるアドレス探索に応答して記憶手段に記憶している前記アドレスのうちのチャンネルのみを含む伝送信号を伝送信号送受信手段より返信させる制御手段とを具備し、伝送制御装置は、前記アドレスを記憶する記憶手段と、信号線を介して伝送信号を送受信する伝送信号送受信手段と、前記アドレス探索に応答した操作端末器のチャンネル宛てに監視データの送信を要求する制御手段とを具備し、伝送制御装置の制御手段は、前記チャンネル宛の監視データ送信要求に対する応答を受け取ることができない場合に当該チャンネルに負荷番号を付加した前記アドレス宛に、当該負荷番号を切り換えながら監視データの送信要求を再送し、操作端末器の制御手段は、前記伝送信号に含まれるアドレスのチャンネルが記憶手段に記憶しているチャンネルと一致したとき、若しくは前記伝送信号に含まれるアドレスのチャンネルが記憶手段に記憶しているチャンネルと一致し且つ当該アドレスの負荷番号と操作されたスイッチに設定された負荷番号が一致したときに監視データを含む伝送信号を伝送信号送受信手段より送信させることを特徴とする。
【発明の効果】
【００１３】
本発明によれば、同一のチャンネルが設定されている複数の操作端末器で互いに異なる負荷番号が設定されているスイッチが同時に操作されて伝送エラーが生じた場合、伝送制御装置の制御手段が、当該チャンネルに負荷番号を付加した前記アドレス宛に、当該負荷番号を切り換えながら監視データの送信要求を再送し、スイッチが操作された複数の操作端末器の制御手段では、前記伝送信号に含まれるアドレスのチャンネルが記憶手段に記憶しているチャンネルと一致し且つ当該アドレスの負荷番号と操作されたスイッチに設定された負荷番号が一致したときに監視データを含む伝送信号を伝送信号送受信手段より送信させるので、前記複数の操作端末器から伝送制御装置に対して監視データを個別に送信することができて正常に負荷を制御することができる。
【発明を実施するための最良の形態】
【００１４】
以下、図面を参照して本発明の実施形態を詳細に説明する。但し、本実施形態の基本構成は従来例と共通であるから、共通の構成要素には同一の符号を付して適宜図示並びに説明を省略する。
【００１５】
図２は本実施形態における伝送制御装置１のブロック図を示している。伝送制御装置１は、図２に示すようにマイコンよりなる制御部１０を備え、制御部１０はフラッシュメモリ１１に書き込まれたプログラムに従って動作する。また、制御部１０には伝送信号送受信部１２を介して信号線Ｌｓが接続される。さらに、関係データを保持するためのフラッシュメモリ１３、負荷Ｌの動作状態などを格納するＲＡＭ１４を備える。さらに、信号線Ｌｓの短絡を検出して表示するために信号線短絡検出／表示部１５が設けられる。制御部１０はマイコンよりなるから、クロック信号を発生するための発振回路１６、電源投入時に初期化するためのリセット回路１７、電源回路１８も備えている。
【００１６】
図３は本実施形態における操作端末器２のブロック図を示している。この操作端末器２は、マイコンよりなる制御部２０と、信号線Ｌｓを介して伝送制御装置１との間で伝送信号を伝送（送受信）する伝送信号送受信部２１と、ＥＥＰＲＯＭからなりアドレスデータ（チャンネルと負荷番号）などを記憶する記憶部２２と、外部設定器（図示せず）との間で赤外線を媒体とする光ワイヤレス信号を送受信する光ワイヤレス信号送受信部２３と、基本クロックを発振する発振回路２４と、制御部２０を電源立ち上がり時にリセットするためのリセット回路２５と、制御部２０から出力される制御信号により負荷毎の動作状態を表示する４つ（図示は２つのみ）の状態表示部２６と、押操作されることで操作入力が制御部２０に取り込まれる４つのスイッチＳ１〜Ｓ４と、伝送信号を整流して得られる直流から各部の電源（直流５Ｖ）を得る電源回路２７とを備えている。
【００１７】
ここで、本実施形態においては、図４に示した従来例と共通のシステム構成を採用しており、２台の操作端末器２（一方を２Ａ、他方を２Ｂとする。）によって１台の制御端末器３（３Ａと３Ｂのうちの３Ａ）に接続されている負荷Ｌを多箇所制御するため、それぞれの操作端末器２Ａ，２Ｂには同一のアドレス（例えば、０チャンネルの負荷番号１〜４）が設定されて記憶部２２に記憶されている。但し、負荷番号１，２，３，４は各々スイッチＳ１、Ｓ２，Ｓ３，Ｓ４に対応している。また、図４では負荷Ｌを１つしか図示していないが、実際には各制御端末器３Ａ，３Ｂにはそれぞれ４つの負荷が接続され、各負荷が負荷番号１〜４に対応している。
【００１８】
次に、図１のシーケンス図を参照して本発明の要旨、すなわち、多箇所制御用に同一のアドレス（チャンネル及び負荷番号）が設定されている２台の操作端末器２Ａ，２Ｂにおいて、一方の操作端末器２ＡのスイッチＳ１（負荷番号１に対応）と、他方の操作端末器２ＢのスイッチＳ４（負荷番号４に対応）とが同時に操作された場合の動作について説明する。
【００１９】
操作端末器２ＡのスイッチＳ１と操作端末器２ＢのスイッチＳ４が同時に操作されると、それぞれの端末器２Ａ，２Ｂの制御部２０（操作端末器２Ａの制御部を２０Ａ、操作端末器２Ｂの制御部を２０Ｂとする）によって操作入力が受け付けられ、各制御部２０Ａ，２０Ｂがダミーモードの伝送信号Ｖｓの同期信号ＳＹに同期させて伝送信号送受信部２１から割込信号を信号線Ｌｓに送出させる（Ｒ１）。このとき、各制御部２０Ａ，２０Ｂは割込フラグを設定して伝送制御装置１との以後の情報授受に備える。伝送制御装置１では、伝送信号送受信部１２で割込信号を受信すると、制御部１０がモードデータＭＤを割込ポーリングモードとして割込信号の発生元のアドレスを探索する（Ｔ１）。操作端末器２Ａ，２Ｂでは、割込ポーリングモードの伝送信号を伝送信号送受信部２１で受信すると、制御部２０Ａ，２０Ｂが記憶部２２に記憶しているアドレスのうちのチャンネル（この場合は０チャンネル）のみを示すアドレスデータを、伝送信号送受信部２１を制御して信号返送期間ＷＴに伝送制御装置１に返送する（Ｒ２、Ｒ３）。このとき、２台の操作端末器２Ａ，２Ｂから同時に伝送信号が信号線Ｌｓに送出されることになるが、これらの伝送信号は全く同一のアドレスデータ（０チャンネル）を含むものであるから伝送エラーとはならず、伝送制御装置１の伝送信号送受信部１２で正常に受信される。
【００２０】
アドレスデータ（０チャンネル）を受け取った伝送制御装置１の制御部１０では、モードデータＭＤを監視モードとし、アドレスデータＡＤに操作端末器２Ａ，２Ｂから受け取ったアドレスデータ（０チャンネル）を設定した伝送信号を伝送信号送受信部１２より信号線Ｌｓに送出（送信）する（Ｔ２）。この伝送信号は２台の操作端末器２Ａ，２Ｂで同時に受信される。そして、操作端末器２Ａ，２Ｂの制御部２０Ａ，２０Ｂは当該伝送信号の信号返送期間ＷＴにそれぞれ監視データ（負荷番号１と負荷番号４）を返送する（Ｒ４，Ｒ５）。このとき、一方の操作端末器２Ａから返送する監視データの内容（負荷番号１）と、他方の操作端末器２Ｂから返送する監視データの内容（負荷番号４）とが異なっているために伝送エラーとなり、伝送制御装置１の制御部１０では何れの操作端末器２Ａ，２Ｂからも監視データを取得することができない。
【００２１】
そこで、伝送エラーが生じて操作端末器２（２Ａ，２Ｂ）から監視データが取得できなかった場合、伝送制御装置１の制御部１０は、モードデータＭＤを監視モードとし、アドレスデータＡＤに操作端末器２Ａ，２Ｂから受け取ったアドレスデータ（０チャンネル）と負荷番号１を組み合わせて設定した伝送信号を伝送信号送受信部１２より信号線Ｌｓに送出（送信）する（Ｔ３）。この伝送信号は２台の操作端末器２Ａ，２Ｂで同時に受信される。そして、操作端末器２Ａの制御部２０Ａでは、当該伝送信号のアドレスデータＡＤに設定されている負荷番号１が監視データの内容（負荷番号１）と一致しているので、当該伝送信号の信号返送期間ＷＴに監視データ（負荷番号１）を返送する（Ｒ６）。一方、操作端末器２Ｂの制御部２０Ｂでは、当該伝送信号のアドレスデータＡＤに設定されている負荷番号１が監視データの内容（負荷番号４）と一致していないので、当該伝送信号の信号返送期間ＷＴに監視データ（負荷番号４）を返送しない。よって、２台の操作端末器２Ａ，２Ｂのうちの一方の操作端末器２Ａのみから監視データが返送されることになって伝送エラーが生じないため、伝送制御装置１の伝送信号送受信部１２では操作端末器２Ａから返送された監視データ（負荷番号１）を正常に受信することができる。
【００２２】
続いて、伝送制御装置１の制御部１０は、モードデータＭＤを監視モードとし、アドレスデータＡＤに操作端末器２Ａ，２Ｂから受け取ったアドレスデータ（０チャンネル）と負荷番号２を組み合わせて設定した伝送信号を伝送信号送受信部１２より信号線Ｌｓに送出（送信）する（Ｔ４）。この伝送信号も２台の操作端末器２Ａ，２Ｂで同時に受信されるが、操作端末器２Ａ，２Ｂの制御部２０Ａ，２０Ｂでは、当該伝送信号のアドレスデータＡＤに設定されている負荷番号２が監視データの内容（負荷番号１又は４）と一致していないので、当該伝送信号の信号返送期間ＷＴに監視データを返送しない。
【００２３】
さらに、伝送制御装置１の制御部１０は、モードデータＭＤを監視モードとし、アドレスデータＡＤに操作端末器２Ａ，２Ｂから受け取ったアドレスデータ（０チャンネル）と負荷番号３を組み合わせて設定した伝送信号を伝送信号送受信部１２より信号線Ｌｓに送出（送信）する（Ｔ５）。この伝送信号も２台の操作端末器２Ａ，２Ｂで同時に受信されるが、操作端末器２Ａ，２Ｂの制御部２０Ａ，２０Ｂでは、当該伝送信号のアドレスデータＡＤに設定されている負荷番号３が監視データの内容（負荷番号１又は４）と一致していないので、当該伝送信号の信号返送期間ＷＴに監視データを返送しない。
【００２４】
最後に、伝送制御装置１の制御部１０は、モードデータＭＤを監視モードとし、アドレスデータＡＤに操作端末器２Ａ，２Ｂから受け取ったアドレスデータ（０チャンネル）と負荷番号４を組み合わせて設定した伝送信号を伝送信号送受信部１２より信号線Ｌｓに送出（送信）する（Ｔ６）。この伝送信号は２台の操作端末器２Ａ，２Ｂで同時に受信される。そして、操作端末器２Ｂの制御部２０Ｂでは、当該伝送信号のアドレスデータＡＤに設定されている負荷番号４が監視データの内容（負荷番号４）と一致しているので、当該伝送信号の信号返送期間ＷＴに監視データ（負荷番号４）を返送する（Ｒ７）。一方、操作端末器２Ａの制御部２０Ａでは、当該伝送信号のアドレスデータＡＤに設定されている負荷番号４が監視データの内容（負荷番号１）と一致していないので、当該伝送信号の信号返送期間ＷＴに監視データ（負荷番号１）を返送しない。よって、２台の操作端末器２Ａ，２Ｂのうちの一方の操作端末器２Ｂのみから監視データが返送されることになって伝送エラーが生じないため、伝送制御装置１の伝送信号送受信部１２では操作端末器２Ｂから返送された監視データ（負荷番号４）を正常に受信することができる。
【００２５】
そして、２台の操作端末器２Ａ，２Ｂからそれぞれ監視データ（負荷番号１，４）を取得した伝送制御装置１の制御部１０は、モードデータＭＤを制御モードとし、操作端末器２Ａ，２Ｂから取得したアドレスデータ（０チャンネル）をアドレスデータＡＤに設定するとともに、制御データＣＤを負荷番号１，４とする伝送信号を伝送信号送受信部１２より信号線Ｌｓに送出（送信）させる。この伝送信号を信号線Ｌｓに送出すれば、アドレスデータＡＤに一致する制御端末器３（０チャンネルに設定されている制御端末器３）が制御データＣＤを受け取り、制御データＣＤに設定されている負荷番号１，４の負荷Ｌを制御するのである。
【００２６】
このように本実施形態によれば、同一のチャンネル（例えば、０チャンネル）が設定されている複数の操作端末器２Ａ，２Ｂで互いに異なる負荷番号（例えば、１と４）が設定されているスイッチＳ１，Ｓ４が同時に操作されて伝送エラーが生じた場合、伝送制御装置１の制御部１０が、当該チャンネルに負荷番号を付加したアドレス宛に、当該負荷番号を切り換えながら監視データの送信要求を再送し、スイッチＳ１，Ｓ４が操作された複数の操作端末器２Ａ，２Ｂの制御部２０Ａ，２０Ｂでは、前記伝送信号に含まれるアドレスのチャンネルが記憶部２２に記憶しているチャンネルと一致し且つ当該アドレスの負荷番号と操作されたスイッチＳ１，Ｓ４に設定された負荷番号が一致したときに監視データを含む伝送信号を伝送信号送受信部２１より送信させるので、複数の操作端末器２Ａ，２Ｂから伝送制御装置１に対して監視データを個別に送信することができて正常に負荷Ｌを制御することができる。
【図面の簡単な説明】
【００２７】
【図１】本発明の実施形態の動作を説明するためのシーケンス図である。
【図２】同上における伝送制御装置のブロック図である。
【図３】同上における操作端末器のブロック図である。
【図４】遠隔監視制御システムの基本的構成図である。
【図５】伝送信号の説明図である。
【符号の説明】
【００２８】
１  伝送制御装置
２  操作端末器
３  制御端末器
１０  制御部（制御手段）
１２  伝送信号送受信部（伝送信号送受信手段）
１３  フラッシュメモリ（記憶手段）
２０  制御部（制御手段）
２１  伝送信号送受信部
２２  記憶部（記憶手段）
【図１】
2010010784.tif 000003
【図２】
2010010784.tif 000004
【図３】
2010010784.tif 000005
【図４】
2010010784.tif 000006
【図５】
2010010784.tif 000007